(57)【要約】【課題】電子ジャーナルデータ管理方法に関し，電子ジャーナルデータのＣＤ−Ｒなどへの書込みが異常終了した場合のデータ管理を改善し，データの分散化や取得可能容量を最大限に活かすことが可能となる技術を提供する。【解決手段】発生した電子ジャーナルデータはマスタファイル１５に逐次記録される。マスタファイル１５に記録された電子ジャーナルデータのＣＤ−Ｒ３０への出力が異常終了すると，電子ジャーナルデータ管理部１１は，マスタファイル１５に空きがあれば，マスタファイル１５をクリアせずに，引き続き発生した電子ジャーナルデータをマスタファイル１５に逐次記録する。マスタファイル１５に空きがなければ，電子ジャーナルデータを退避ファイル１６に複製してからマスタファイル１５をクリアし，その後に発生した電子ジャーナルデータをマスタファイル１５に逐次記録する。【選択図】図１
2006268072.tif 000002
【特許請求の範囲】
【請求項１】
発生した電子ジャーナルデータをマスタファイルに逐次記録し，前記マスタファイルに記録された電子ジャーナルデータを外部記録媒体に出力して保存する電子ジャーナルデータ管理方法であって，
前記電子ジャーナルデータの外部記録媒体への出力が異常終了した場合に，前記マスタファイルの状態をチェックする過程と，
チェックした結果，前記マスタファイルに空きがあれば，前記マスタファイルに記録された電子ジャーナルデータをクリアせずに，引き続き発生した電子ジャーナルデータを前記マスタファイルに逐次記録する過程と，
チェックした結果，前記マスタファイルに空きがなければ，前記マスタファイルに記録された電子ジャーナルデータを退避ファイルに複製して記録し，前記マスタファイルに記録された電子ジャーナルデータをクリアし，その後に発生した電子ジャーナルデータを前記マスタファイルに逐次記録し，次の保存契機に前記退避ファイルに記録した電子ジャーナルデータを外部記録媒体に出力し保存する過程とを有する
ことを特徴とする電子ジャーナルデータ管理方法。
【請求項２】
発生した電子ジャーナルデータをマスタファイルに逐次記録し，前記マスタファイルに記録された電子ジャーナルデータを外部記録媒体に出力して保存する電子ジャーナルデータ管理方法であって，
少なくとも，前記電子ジャーナルデータの外部記録媒体への出力が異常終了した場合に前記マスタファイルに記録された電子ジャーナルデータをクリアしない第１の処理ロジック，および前記電子ジャーナルデータの外部記録媒体への出力が正常終了したか異常終了したかにかかわらず，前記マスタファイルに記録された電子ジャーナルデータをクリアする第２の処理ロジックを含む処理ロジック群の中から，特定の処理ロジックを選択するための電子ジャーナルデータの管理条件を入力する過程と，
前記入力された電子ジャーナルデータの管理条件から，あらかじめ定められた管理条件と処理ロジックとの対応情報をもとに，電子ジャーナルデータを管理するための処理ロジックを決定する過程と，
前記決定された処理ロジックが前記第１の処理ロジックである場合に，前記請求項１記載の電子ジャーナルデータ管理方法に基づく電子ジャーナルデータの管理を行い，前記決定された処理ロジックが前記第２の処理ロジックである場合に，前記電子ジャーナルデータの外部記録媒体への出力が異常終了した際に前記マスタファイルに記録された電子ジャーナルデータを退避ファイルに複製して前記マスタファイルに記録された電子ジャーナルデータをクリアする電子ジャーナルデータの管理を行う過程とを有する
ことを特徴とする電子ジャーナルデータ管理方法。
【請求項３】
発生した電子ジャーナルデータをマスタファイルに逐次記録し，前記マスタファイルに記録された電子ジャーナルデータを外部記録媒体に出力して保存する電子ジャーナルデータ管理装置であって，
発生した電子ジャーナルデータを逐次記録するためのマスタファイルと，
マスタファイルに記録された電子ジャーナルデータを複製して記録するための退避ファイルと，
前記電子ジャーナルデータの外部記録媒体への出力が異常終了した場合に，前記マスタファイルの状態をチェックし，チェックした結果，前記マスタファイルに空きがあれば，前記マスタファイルに記録された電子ジャーナルデータをクリアせずに，引き続き発生した電子ジャーナルデータを前記マスタファイルに逐次記録し，チェックした結果，前記マスタファイルに空きがなければ，前記マスタファイルに記録された電子ジャーナルデータを前記退避ファイルに複製して記録し，前記マスタファイルに記録された電子ジャーナルデータをクリアし，その後に発生した電子ジャーナルデータを前記マスタファイルに逐次記録し，次の保存契機に前記退避ファイルに記録した電子ジャーナルデータを外部記録媒体に出力し保存する電子ジャーナルデータ管理部とを備える
ことを特徴とする電子ジャーナルデータ管理装置。
【請求項４】
電子ジャーナルデータの管理を行う電子ジャーナルデータ管理装置であって，
電子ジャーナルデータの管理条件と電子ジャーナルデータを管理するための処理ロジックとの対応情報を保持する手段と，
電子ジャーナルデータの管理条件の入力を受ける手段と，
前記保持された対応情報と前記入力された電子ジャーナルデータの管理条件とから，電子ジャーナルデータを管理するための処理ロジックを決定する手段と，
前記決定された処理ロジックを用いて電子ジャーナルデータの管理を行う手段とを備え，
前記処理ロジックの一つは，前記請求項１記載の電子ジャーナルデータ管理方法に基づく電子ジャーナルデータの管理を行う処理ロジックである
ことを特徴とする電子ジャーナルデータ管理装置。
【請求項５】
発生した電子ジャーナルデータをマスタファイルに逐次記録し，前記マスタファイルに記録された電子ジャーナルデータを外部記録媒体に出力して保存する電子ジャーナルデータ管理方法を，コンピュータに実行させるための電子ジャーナルデータ管理プログラムであって，
前記電子ジャーナルデータの外部記録媒体への出力が異常終了した場合に，前記マスタファイルの状態をチェックする処理と，
チェックした結果，前記マスタファイルに空きがあれば，前記マスタファイルに記録された電子ジャーナルデータをクリアせずに，引き続き発生した電子ジャーナルデータを前記マスタファイルに逐次記録する処理と，
チェックした結果，前記マスタファイルに空きがなければ，前記マスタファイルに記録された電子ジャーナルデータを退避ファイルに複製して記録し，前記マスタファイルに記録された電子ジャーナルデータをクリアし，その後に発生した電子ジャーナルデータを前記マスタファイルに逐次記録し，次の保存契機に前記退避ファイルに記録した電子ジャーナルデータを外部記録媒体に出力し保存する処理とを，
コンピュータに実行させるための電子ジャーナルデータ管理プログラム。
【発明の詳細な説明】
【技術分野】
【０００１】
本発明は，電子ジャーナルデータの管理技術に関するものであり，特に，顧客要件に対応した電子ジャーナルデータの管理を可能にする電子ジャーナルデータ管理方法，電子ジャーナルデータ管理装置および電子ジャーナルデータ管理プログラムに関するものである。
【背景技術】
【０００２】
ＡＴＭ（現金自動預入引出機）等のシステムでは，取引の履歴が記録された電子ジャーナルデータを，ＣＤ−Ｒ等の外部の記録媒体にディスクアットワンスで書込みを行い，記録保存していた（例えば，特許文献１参照）。
【０００３】
従来，このようなＣＤ−Ｒ等の外部の記録媒体への電子ジャーナルデータの書込みは，ＣＤ−Ｒの枚数を少なく管理するため，原則としてマスタファイルの状態がフルになったときに自動的に（必要な場合には係員の指示により）実行されていた。これによって，係員によるＣＤ−Ｒの交換作業等の手間を減らし，また，ＣＤ−Ｒを保管するスペースを小さくすることができた。
【０００４】
図４は，従来における電子ジャーナルデータ管理の例を説明する図である。例えば，ＡＴＭ等のシステムにおいて，取引の履歴などの電子ジャーナルデータは，マスタファイル１００に蓄積される（図４（Ａ）参照）。マスタファイル１００に電子ジャーナルデータがフルに蓄積されると，その電子ジャーナルデータは退避ファイル１０１にコピーされる（図４（Ｂ）参照）。
【０００５】
退避ファイル１０１への電子ジャーナルデータのコピーが終わると，マスタファイル１００の電子ジャーナルデータがクリアされ，また，退避ファイル１０１からＣＤ−Ｒ１０２への電子ジャーナルデータの保存処理が開始される（図４（Ｃ）参照）。その後新たな電子ジャーナルデータがマスタファイル１００に蓄積される。
【０００６】
ＣＤ−Ｒ１０２への電子ジャーナルデータの保存処理中に一度障害が発生してしまうと（図４（Ｄ）参照），新たに空のＣＤ−Ｒ１０２に交換しない限り，電子ジャーナルデータをＣＤ−Ｒ１０２に保存することができなくなってしまう。このとき，退避ファイル１０１の電子ジャーナルデータはクリアせずにそのまま保持しておく。
【０００７】
係員によって新たに空のＣＤ−Ｒ１０２がセットされ，マスタファイル１００に電子ジャーナルデータがフルに蓄積されると，まず，未保存の退避ファイル１０１の電子ジャーナルデータをＣＤ−Ｒ１０２に保存する（図４（Ｅ）参照）。
【０００８】
未保存の電子ジャーナルデータのＣＤ−Ｒ１０２への保存が終了すると，退避ファイル１０１の電子ジャーナルデータがクリアされ，マスタファイル１００の電子ジャーナルデータが退避ファイル１０１にコピーされる（図４（Ｆ）参照）。
【０００９】
図５は，従来における電子ジャーナルデータ保存処理フローチャートである。従来は，電子ジャーナルデータがマスタファイル１００に逐次記録され，特に係員の指示がない限りマスタファイル１００の状態がフルとなることをトリガとして，ＣＤ−Ｒ１０２への電子ジャーナルデータ保存処理が実行される。
【００１０】
マスタファイル１００の状態がフルになり，電子ジャーナルデータのＣＤ−Ｒ１０２への保存の契機になると（ステップＳ１００），退避ファイル１０１に未保存の電子ジャーナルデータが存在するかを確認する（ステップＳ１０１）。
【００１１】
未保存の電子ジャーナルデータが存在しなければ，マスタファイル１００の電子ジャーナルデータを退避ファイル１０１にコピーし（ステップＳ１０２），マスタファイル１００の電子ジャーナルデータをクリアする（ステップＳ１０３）。マスタファイル１００のクリア後，新たな電子ジャーナルデータをマスタファイル１００に逐次記録することができる。
【００１２】
電子ジャーナルデータを退避ファイル１０１にコピーすると，今度はその電子ジャーナルデータをＣＤ−Ｒ１０２に保存する（ステップＳ１０４）。ＣＤ−Ｒ１０２への電子ジャーナルデータの保存が正常に終了すれば（ステップＳ１０５），退避ファイル１０１の電子ジャーナルデータをクリアし（ステップＳ１０６），ステップＳ１００に戻って次の保存契機を待つ。ＣＤ−Ｒ１０２への電子ジャーナルデータの保存が正常に終了しなければ（ステップＳ１０５），退避ファイル１０１の電子ジャーナルデータを未保存のまま残し，ステップＳ１００に戻って次の保存契機を待つ。
【００１３】
ステップＳ１０１において退避ファイル１０１に未保存の電子ジャーナルデータが存在すれば，その電子ジャーナルデータをＣＤ−Ｒ１０２に保存する（ステップＳ１０７）。ＣＤ−Ｒ１０２への電子ジャーナルデータの保存が正常に終了しなければ（ステップＳ１０８），マスタファイル１００の電子ジャーナルデータを退避ファイル１０１にコピーすることができないので，ＡＴＭ等のシステムを休止する（ステップＳ１０９）。
【００１４】
ＣＤ−Ｒ１０２への電子ジャーナルデータの保存が正常に終了すれば（ステップＳ１０８），退避ファイル１０１の電子ジャーナルデータをクリアする（ステップＳ１１０）。その後，マスタファイル１００の電子ジャーナルデータを退避ファイル１０１にコピーし（ステップＳ１１１），マスタファイル１００の電子ジャーナルデータをクリアする（ステップＳ１１２）。マスタファイル１００のクリア後，新たな電子ジャーナルデータをマスタファイル１００に逐次記録することができる。
【００１５】
なお，ステップＳ１１１の時点では装填されているＣＤ−Ｒ１０２がまだステップＳ１０７で電子ジャーナルデータがディスクアットワンスで保存されたＣＤ−Ｒ１０２であるので，ステップＳ１１１で退避ファイル１０１にコピーされた電子ジャーナルデータを自動的にＣＤ−Ｒ１０２に保存することはできない。係員によるメンテナンス時などに，前の電子ジャーナルデータが保存されたＣＤ−Ｒ１０２が空のＣＤ−Ｒ１０２に交換されたときに，ステップＳ１１１で退避ファイル１０１にコピーされた電子ジャーナルデータが，交換された空のＣＤ−Ｒ１０２に保存される。
【特許文献１】特開２０００−３２２６４７号公報
【発明の開示】
【発明が解決しようとする課題】
【００１６】
近年，電子ジャーナルデータの管理における顧客要件が多様化している。電子ジャーナルデータのＣＤ−Ｒへの保存の契機も，顧客によって要望が異なる。マスタファイルの状態がフルになったことを契機に電子ジャーナルデータのＣＤ−Ｒへの保存を要望する顧客もいれば，一定周期ごと（例えば，数週間ごと，１ヵ月ごとなど）に電子ジャーナルデータのＣＤ−Ｒへの保存を要望する顧客もいる。
【００１７】
図６は，従来の電子ジャーナルデータの管理方法の問題点を説明する図である。例えば，顧客要件として，
（要件１）月末またはマスタファイル１００の状態がフルになったときのいずれかに電子ジャーナルデータをＣＤ−Ｒ１０２に保存し，
（要件２）月末の契機で保存するときにＮＧが出た場合には，次の契機で電子ジャーナルデータを保存するときに，ＮＧが出たときの電子ジャーナルデータとその次の電子ジャーナルデータとを１枚のＣＤ−Ｒ１０２に一緒に保存する，
というものがあるとする。上記の従来の電子ジャーナルデータの管理方法では，このような顧客要件に対応することができない。
【００１８】
まず，ある月末の契機（契機ａ）で，電子ジャーナルデータのＣＤ−Ｒ１０２への保存処理が発生したものとする。このとき，マスタファイル１００の電子ジャーナルデータは，一度退避ファイル１０１にコピーされ（図６（Ａ）参照），退避ファイル１０１からＣＤ−Ｒ１０２に保存される（図６（Ｂ）参照）。その後新たな電子ジャーナルデータがマスタファイル１００に蓄積される。
【００１９】
ＣＤ−Ｒ１０２への電子ジャーナルデータの保存処理中に障害が発生した場合（図６（Ｃ）参照），保存に失敗したＣＤ−Ｒ１０２を空のＣＤ−Ｒ１０２に交換しないと，電子ジャーナルデータのＣＤ−Ｒ１０２への保存ができない。このとき，次の保存の契機（契機ｂ）まで，退避ファイル１０１の電子ジャーナルデータをクリアせずにそのまま保持することとなる。
【００２０】
新たに空のＣＤ−Ｒ１０２がセットされ，次の月末の契機（契機ｂ）で保存処理が発生すると，まず，未保存の電子ジャーナルデータ（契機ａで保存されるはずの電子ジャーナルデータ）が退避ファイル１０１にあるので，その未保存の電子ジャーナルデータをＣＤ−Ｒ１０２に保存する（図６（Ｄ）参照）。
【００２１】
未保存の電子ジャーナルデータのＣＤ−Ｒ１０２への保存が終了すると，退避ファイル１０１の電子ジャーナルデータがクリアされ，マスタファイル１００の電子ジャーナルデータが退避ファイル１０１にコピーされる（図６（Ｅ）参照）。その後，マスタファイル１００の電子ジャーナルデータがクリアされ，新たな電子ジャーナルデータがマスタファイル１００に蓄積される。
【００２２】
ここで，上記の要件２が満たされるためには，新たに退避ファイル１０１にコピーされた契機ｂで保存されるはずの電子ジャーナルデータも，契機ａで保存されるはずの電子ジャーナルデータが保存されたＣＤ−Ｒ１０２に一緒に保存されなければならない。
【００２３】
しかし，電子ジャーナルデータはディスクアットワンスでＣＤ−Ｒ１０２に保存されるため，たとえ契機ａで保存されるはずの電子ジャーナルデータが保存されたＣＤ−Ｒ１０２の容量が十分に残っていても，契機ｂで保存されるはずの電子ジャーナルデータを追加保存することはできない。すなわち，従来の電子ジャーナルデータの管理方法では，顧客からの上記の要件２を満たすことができない。なお，電子ジャーナルデータをＣＤ−Ｒ１０２にディスクアットワンスで保存するのは，保存したデータの信憑性を確保するためである。
【００２４】
本発明は，上記の問題点の解決を図り，電子ジャーナルデータをＣＤ−Ｒなどのライトワンスメディアに対して保存する場合に，書込み異常となったときのデータ管理方法を改善してデータの分散化や取得可能容量を最大限に活かすことができるようにし，顧客要件に対応した電子ジャーナルデータの管理が可能となる技術を提供することを目的とする。
【課題を解決するための手段】
【００２５】
本発明は，上記の課題を解決するため，ある電子ジャーナルデータ保存の契機で電子ジャーナルデータのＣＤ−Ｒへの保存が正常に終了しなかった場合に，マスタファイルの状態がまだフルになっていなければ，引続きそのマスタファイルに電子ジャーナルデータを逐次記録することを特徴とする。これにより，次の電子ジャーナルデータ保存の契機に，電子ジャーナルデータを１枚のＣＤ−Ｒにまとめて保存することが可能となる。
【００２６】
また，電子ジャーナルデータ管理のための処理ロジックを複数用意し，各顧客要件に合わせて処理ロジックを選択し，その処理ロジックに従って電子ジャーナルデータ管理を行うことを特徴とする。これにより，様々な顧客要件に対応することが可能となる。
【００２７】
具体的には，本発明は，発生した電子ジャーナルデータをマスタファイルに逐次記録し，マスタファイルに記録された電子ジャーナルデータを外部記録媒体に出力して保存する電子ジャーナルデータ管理方法であって，電子ジャーナルデータの外部記録媒体への出力が異常終了した場合に，マスタファイルの状態をチェックする過程と，チェックした結果，マスタファイルに空きがあれば，マスタファイルに記録された電子ジャーナルデータをクリアせずに，引き続き発生した電子ジャーナルデータをマスタファイルに逐次記録する過程と，チェックした結果，マスタファイルに空きがなければ，マスタファイルに記録された電子ジャーナルデータを退避ファイルに複製して記録し，マスタファイルに記録された電子ジャーナルデータをクリアし，その後に発生した電子ジャーナルデータをマスタファイルに逐次記録し，次の保存契機に退避ファイルに記録した電子ジャーナルデータを外部記録媒体に出力し保存する過程とを有することを特徴とする。
【００２８】
また，本発明は，発生した電子ジャーナルデータをマスタファイルに逐次記録し，マスタファイルに記録された電子ジャーナルデータを外部記録媒体に出力して保存する電子ジャーナルデータ管理方法であって，少なくとも，電子ジャーナルデータの外部記録媒体への出力が異常終了した場合にマスタファイルに記録された電子ジャーナルデータをクリアしない第１の処理ロジック，および電子ジャーナルデータの外部記録媒体への出力が正常終了したか異常終了したかにかかわらず，マスタファイルに記録された電子ジャーナルデータをクリアする第２の処理ロジックを含む処理ロジック群の中から，特定の処理ロジックを選択するための電子ジャーナルデータの管理条件を入力する過程と，入力された電子ジャーナルデータの管理条件から，あらかじめ定められた管理条件と処理ロジックとの対応情報をもとに，電子ジャーナルデータを管理するための処理ロジックを決定する過程と，決定された処理ロジックが第１の処理ロジックである場合に，上記の電子ジャーナルデータ管理方法に基づく電子ジャーナルデータの管理を行い，決定された処理ロジックが第２の処理ロジックである場合に，電子ジャーナルデータの外部記録媒体への出力が異常終了した際にマスタファイルに記録された電子ジャーナルデータを退避ファイルに複製してマスタファイルに記録された電子ジャーナルデータをクリアする電子ジャーナルデータの管理を行う過程とを有することを特徴とする。
【００２９】
以上の各過程における処理は，コンピュータとソフトウェアプログラムとによって実現することができ，そのプログラムをコンピュータ読み取り可能な記録媒体に記録することも，ネットワークを通して提供することも可能である。
【発明の効果】
【００３０】
本発明によって，電子ジャーナルデータの保存に失敗した場合にマスタファイルの状態がフルでなければそのままマスタファイルへの逐次記録を継続することができるので，上記の要件１，要件２からなる顧客要件に対応する電子ジャーナルデータの管理ができるようになる。また，顧客要件ごとに電子ジャーナルデータ管理のための処理ロジックを変えて電子ジャーナルデータの管理を行うことができるので，顧客要件に対応した電子ジャーナルデータの管理ができるようになる。本発明は，特に，例えばＡＴＭ等のような係員が常時近くにいるとは限らない無人の電子機器において電子ジャーナルデータを保存し，管理する場合に有効である。
【発明を実施するための最良の形態】
【００３１】
以下，本発明の実施の形態について，図を用いて説明する。
【００３２】
図１は，本発明の実施の形態における電子ジャーナルデータ管理装置の構成例を示す図である。電子ジャーナルデータ管理装置１０は，ＡＴＭなどのシステムに組み込まれ，システムの運用により発生する電子ジャーナルデータの管理を行う。
【００３３】
電子ジャーナルデータ管理装置１０は，電子ジャーナルデータ管理部１１と，顧客要件対応情報記憶部１２，電子ジャーナルデータ記憶部１３と，ＣＤ−Ｒライタ処理部１４とを備える。また，電子ジャーナルデータ記憶部１３は，マスタファイル１５と，退避ファイル１６とを備える。
【００３４】
顧客要件対応情報記憶部１２には，顧客要件と電子ジャーナルデータ管理のための処理ロジックとの対応情報である顧客要件対応情報が記憶されている。
【００３５】
図２は，本実施の形態における顧客要件対応情報の例を示す図である。図２の例の顧客要件対応情報は，条件Ａ（電子ジャーナルデータのＣＤ−Ｒ３０への保存処理のトリガ）と条件Ｂ（電子ジャーナルデータのＣＤ−Ｒ３０への保存処理が正常に終了しなかった場合の対処）との組み合わせからなる顧客要件と，電子ジャーナルデータを自動的に管理するための処理ロジックとの対応情報である。この顧客要件対応情報により，顧客要件に対応した処理ロジックが決定される。
【００３６】
図２の例では，条件Ａとしては，満杯時（マスタファイル１５の状態がフルとなったとき）のみ，一定周期と満杯時，予約時刻と満杯時の３つの条件が想定されている。また，条件Ｂとしては，保存処理時ＦＩＸと保存処理失敗時継続の２つの条件が想定されている。保存処理時ＦＩＸは，保存処理の成功・失敗にかかわらず，マスタファイル１５の電子ジャーナルデータを退避ファイル１６にコピーし，その時点において保存対象となる電子ジャーナルデータを確定し，マスタファイル１５をクリアするという条件である。保存処理失敗時継続は，保存処理成功時にはマスタファイル１５をクリアし，保存処理失敗時には次の保存処理の契機までマスタファイル１５をクリアせずに電子ジャーナルデータのマスタファイル１５への逐次記録を継続するという条件である。
【００３７】
係員は，係員処理入力部２０を用いて顧客要件（条件Ａ，条件Ｂ，一定周期や予約時刻など）等を入力し，各設定を行う。電子ジャーナルデータ管理部１１は，係員処理入力部２０から顧客要件の入力を受けると，顧客要件対応情報記憶部１２の顧客要件対応情報を参照し，入力された顧客要件に対応する電子ジャーナルデータを自動的に管理するための処理ロジックを設定する。以後，電子ジャーナルデータ管理部１１は，設定された処理ロジックに従って，電子ジャーナルデータの自動管理を行う。
【００３８】
電子ジャーナルデータ管理装置１０を備えるシステムの運用により電子ジャーナルデータが発生すると，その電子ジャーナルデータは，電子ジャーナルデータ記憶部１３のマスタファイル１５に逐次記録される。
【００３９】
電子ジャーナルデータのＣＤ−Ｒ３０への保存の契機の条件（条件Ａ）が満たされると，設定された処理ロジックに従って，マスタファイル１５に記録された電子ジャーナルデータをＣＤ−Ｒ３０に保存する処理を行う。ＣＤ−Ｒライタ処理部１４は，マスタファイル１５または退避ファイル１６に記録された電子ジャーナルデータをＣＤ−Ｒ３０にディスクアットワンスで書き込み，保存する。
【００４０】
ＣＤ−Ｒ３０への電子ジャーナルデータの保存が正常に終了すると，ＣＤ−Ｒ３０に保存された電子ジャーナルデータが記録されていたマスタファイル１５または退避ファイル１６をクリアする。
【００４１】
ＣＤ−Ｒ３０への電子ジャーナルデータの保存に失敗した場合には，設定された処理ロジックに従って，電子ジャーナルデータ管理装置１０を備えるシステムの運用休止，マスタファイル１５に記録された電子ジャーナルデータを退避ファイル１６にコピーしてマスタファイル１５をクリアする等の処理を行い，運用休止でなければマスタファイル１５への電子ジャーナルデータの逐次記録を継続する。
【００４２】
なお，メンテナンス時などに未保存の電子ジャーナルデータをＣＤ−Ｒ３０に保存したい場合などには，係員が係員処理入力部２０から指示することにより，未保存の電子ジャーナルデータのＣＤ−Ｒ３０への保存を行うことができる。
【００４３】
図３は，本実施の形態における電子ジャーナルデータを自動的に管理するための処理ロジックの例を示す図である。図３のフローチャートに示す処理ロジックは，図２における処理ロジックＢ１の例である。ここでは，条件Ａとして“一定周期または満杯時”が指定されており，一定周期としては“毎月末”が指定されているものとする。処理ロジックＢ２は，処理ロジックＢ１とほぼ同様であるが，図３に示すステップＳ１０の判定方法が異なる。
【００４４】
月末となるか，またはマスタファイル１５の状態がフルとなることにより，電子ジャーナルデータのＣＤ−Ｒ３０への保存の契機になると（ステップＳ１０），退避ファイル１６に未保存の電子ジャーナルデータが存在するかを確認する（ステップＳ１１）。
【００４５】
退避ファイル１６に未保存の電子ジャーナルデータが存在しなければ，マスタファイル１５の電子ジャーナルデータをＣＤ−Ｒ３０に保存する（ステップＳ１２）。ＣＤ−Ｒ３０への電子ジャーナルデータの保存が正常に終了すれば（ステップＳ１３），マスタファイル１５の電子ジャーナルデータをクリアし（ステップＳ１４），ステップＳ１０に戻って次の保存契機を待つ。
【００４６】
ＣＤ−Ｒ３０への電子ジャーナルデータの保存が正常に終了しなければ（ステップＳ１３），マスタファイル１５の状態がフルであるかを確認し（ステップＳ１５），フルでなければ，ステップＳ１０に戻って次の保存契機を待つ。この結果，次に発生する電子ジャーナルデータは，マスタファイル１５における未保存の電子ジャーナルデータの後に続けて記録されていくことになる。
【００４７】
ステップＳ１５においてマスタファイル１５の状態がフルであれば，退避ファイル１６に未保存の電子ジャーナルデータが存在するかを確認する（ステップＳ１６）。退避ファイル１６に未保存の電子ジャーナルデータが存在すれば，マスタファイル１５の電子ジャーナルデータを退避ファイル１６にコピーすることができないので，システムを休止する（ステップＳ１７）。
【００４８】
ステップＳ１６において退避ファイル１６に未保存の電子ジャーナルデータが存在しなければ，マスタファイル１５の電子ジャーナルデータを退避ファイル１６にコピーし（ステップＳ１８），マスタファイル１５の電子ジャーナルデータをクリアし（ステップＳ１９），ステップＳ１０に戻って次の保存契機を待つ。
【００４９】
ステップＳ１１において未保存の退避ファイル１６が存在すれば，その退避ファイル１６の電子ジャーナルデータをＣＤ−Ｒ３０に保存する（ステップＳ２０）。ＣＤ−Ｒ３０への電子ジャーナルデータの保存が正常に終了すれば（ステップＳ２１），退避ファイル１６の電子ジャーナルデータをクリアし（ステップＳ２２），ステップＳ１５の処理に進む。ＣＤ−Ｒ３０への電子ジャーナルデータの保存が正常に終了しなければ（ステップＳ２１），そのままステップＳ１５の処理に進む。
【００５０】
なお，図２における処理ロジックＡ１〜Ａ３としては，例えば，図５のフローチャートに示す処理ロジックなどが考えられる。各処理ロジックごとに個別にプログラムを用意してもよいし，共通のプログラムの中で処理ロジックの識別情報を判定して処理を切り分けてもよい。
【００５１】
以上説明した本発明の実施の形態の特徴をまとめると，以下のとおりとなる。
【００５２】
（付記１）
発生した電子ジャーナルデータをマスタファイルに逐次記録し，前記マスタファイルに記録された電子ジャーナルデータを外部記録媒体に出力して保存する電子ジャーナルデータ管理方法であって，
前記電子ジャーナルデータの外部記録媒体への出力が異常終了した場合に，前記マスタファイルの状態をチェックする過程と，
チェックした結果，前記マスタファイルに空きがあれば，前記マスタファイルに記録された電子ジャーナルデータをクリアせずに，引き続き発生した電子ジャーナルデータを前記マスタファイルに逐次記録する過程と，
チェックした結果，前記マスタファイルに空きがなければ，前記マスタファイルに記録された電子ジャーナルデータを退避ファイルに複製して記録し，前記マスタファイルに記録された電子ジャーナルデータをクリアし，その後に発生した電子ジャーナルデータを前記マスタファイルに逐次記録し，次の保存契機に前記退避ファイルに記録した電子ジャーナルデータを外部記録媒体に出力し保存する過程とを有する
ことを特徴とする電子ジャーナルデータ管理方法。
【００５３】
（付記２）
発生した電子ジャーナルデータを逐次記録するためのマスタファイルと，マスタファイルに記録された電子ジャーナルデータを複製して記録するための退避ファイルとを備える電子ジャーナルデータ管理装置によって，電子ジャーナルデータの管理を行う電子ジャーナルデータ管理方法であって，
発生した電子ジャーナルデータを前記マスタファイルに逐次記録する過程と，
電子ジャーナルデータの外部記録媒体への保存契機となった場合に，前記マスタファイルまたは前記退避ファイルに記録された電子ジャーナルデータを外部記録媒体に出力し保存する過程と，
前記外部記録媒体への保存処理が正常に終了した場合に，前記マスタファイルまたは前記退避ファイルに記録された電子ジャーナルデータをクリアする過程と，
前記外部記録媒体への保存処理が正常に終了せず，かつ，前記マスタファイルに空きがある場合に，前記マスタファイルに記録された電子ジャーナルデータをクリアせずに，引き続き発生した電子ジャーナルデータを前記マスタファイルに逐次記録する過程と，
前記外部記録媒体への保存処理が正常に終了せず，かつ，前記マスタファイルに空きがなく，かつ，前記退避ファイルに未保存の電子ジャーナルデータが存在しない場合に，前記マスタファイルに記録された電子ジャーナルデータを前記退避ファイルに複製し，前記マスタファイルに記録された電子ジャーナルデータをクリアする過程とを有する
ことを特徴とする電子ジャーナルデータ管理方法。
【００５４】
（付記３）
発生した電子ジャーナルデータをマスタファイルに逐次記録し，前記マスタファイルに記録された電子ジャーナルデータを外部記録媒体に出力して保存する電子ジャーナルデータ管理方法であって，
少なくとも，前記電子ジャーナルデータの外部記録媒体への出力が異常終了した場合に前記マスタファイルに記録された電子ジャーナルデータをクリアしない第１の処理ロジック，および前記電子ジャーナルデータの外部記録媒体への出力が正常終了したか異常終了したかにかかわらず，前記マスタファイルに記録された電子ジャーナルデータをクリアする第２の処理ロジックを含む処理ロジック群の中から，特定の処理ロジックを選択するための電子ジャーナルデータの管理条件を入力する過程と，
前記入力された電子ジャーナルデータの管理条件から，あらかじめ定められた管理条件と処理ロジックとの対応情報をもとに，電子ジャーナルデータを管理するための処理ロジックを決定する過程と，
前記決定された処理ロジックが前記第１の処理ロジックである場合に，前記付記１記載の電子ジャーナルデータ管理方法に基づく電子ジャーナルデータの管理を行い，前記決定された処理ロジックが前記第２の処理ロジックである場合に，前記電子ジャーナルデータの外部記録媒体への出力が異常終了した際に前記マスタファイルに記録された電子ジャーナルデータを退避ファイルに複製して前記マスタファイルに記録された電子ジャーナルデータをクリアする電子ジャーナルデータの管理を行う過程とを有する
ことを特徴とする電子ジャーナルデータ管理方法。
【００５５】
（付記４）
発生した電子ジャーナルデータをマスタファイルに逐次記録し，前記マスタファイルに記録された電子ジャーナルデータを外部記録媒体に出力して保存する電子ジャーナルデータ管理装置であって，
発生した電子ジャーナルデータを逐次記録するためのマスタファイルと，
マスタファイルに記録された電子ジャーナルデータを複製して記録するための退避ファイルと，
前記電子ジャーナルデータの外部記録媒体への出力が異常終了した場合に，前記マスタファイルの状態をチェックし，チェックした結果，前記マスタファイルに空きがあれば，前記マスタファイルに記録された電子ジャーナルデータをクリアせずに，引き続き発生した電子ジャーナルデータを前記マスタファイルに逐次記録し，チェックした結果，前記マスタファイルに空きがなければ，前記マスタファイルに記録された電子ジャーナルデータを前記退避ファイルに複製して記録し，前記マスタファイルに記録された電子ジャーナルデータをクリアし，その後に発生した電子ジャーナルデータを前記マスタファイルに逐次記録し，次の保存契機に前記退避ファイルに記録した電子ジャーナルデータを外部記録媒体に出力し保存する電子ジャーナルデータ管理部とを備える
ことを特徴とする電子ジャーナルデータ管理装置。
【００５６】
（付記５）
電子ジャーナルデータの管理を行う電子ジャーナルデータ管理装置であって，
電子ジャーナルデータの管理条件と電子ジャーナルデータを管理するための処理ロジックとの対応情報を保持する手段と，
電子ジャーナルデータの管理条件の入力を受ける手段と，
前記保持された対応情報と前記入力された電子ジャーナルデータの管理条件とから，電子ジャーナルデータを管理するための処理ロジックを決定する手段と，
前記決定された処理ロジックを用いて電子ジャーナルデータの管理を行う手段とを備え，
前記処理ロジックの一つは，前記付記１記載の電子ジャーナルデータ管理方法に基づく電子ジャーナルデータの管理を行う処理ロジックである
ことを特徴とする電子ジャーナルデータ管理装置。
【００５７】
（付記６）
発生した電子ジャーナルデータをマスタファイルに逐次記録し，前記マスタファイルに記録された電子ジャーナルデータを外部記録媒体に出力して保存する電子ジャーナルデータ管理方法を，コンピュータに実行させるための電子ジャーナルデータ管理プログラムであって，
前記電子ジャーナルデータの外部記録媒体への出力が異常終了した場合に，前記マスタファイルの状態をチェックする処理と，
チェックした結果，前記マスタファイルに空きがあれば，前記マスタファイルに記録された電子ジャーナルデータをクリアせずに，引き続き発生した電子ジャーナルデータを前記マスタファイルに逐次記録する処理と，
チェックした結果，前記マスタファイルに空きがなければ，前記マスタファイルに記録された電子ジャーナルデータを退避ファイルに複製して記録し，前記マスタファイルに記録された電子ジャーナルデータをクリアし，その後に発生した電子ジャーナルデータを前記マスタファイルに逐次記録し，次の保存契機に前記退避ファイルに記録した電子ジャーナルデータを外部記録媒体に出力し保存する処理とを，
コンピュータに実行させるための電子ジャーナルデータ管理プログラム。
【図面の簡単な説明】
【００５８】
【図１】本発明の実施の形態における電子ジャーナルデータ管理装置の構成例を示す図である。
【図２】本実施の形態における顧客要件対応情報の例を示す図である。
【図３】本実施の形態における電子ジャーナルデータを自動的に管理するための処理ロジックの例を示す図である。
【図４】従来における電子ジャーナルデータ管理の例を説明する図である。
【図５】従来における電子ジャーナルデータ保存処理フローチャートである。
【図６】従来の電子ジャーナルデータの管理方法の問題点を説明する図である。
【符号の説明】
【００５９】
１０  電子ジャーナルデータ管理装置
１１  電子ジャーナルデータ管理部
１２  顧客要件対応情報記憶部
１３  電子ジャーナルデータ記憶部
１４  ＣＤ−Ｒライタ処理部
１５  マスタファイル
１６  退避ファイル
２０  係員処理入力部
３０  ＣＤ−Ｒ
【図１】
2006268072.tif 000003
【図２】
2006268072.tif 000004
【図３】
2006268072.tif 000005
【図４】
2006268072.tif 000006
【図５】
2006268072.tif 000007
【図６】
2006268072.tif 000008